(57)【特許請求の範囲】
【請求項１】
繊維材料等の柔軟なパッド素材(11)(12)(13)(14)(15)の内部に、形状記憶材(3) を配位したパッドにおいて、
形状記憶材(3) を内部に収納した袋状体(2) が、他のパッド素材(11)(12)(13)(14)(15)と共に配位されており、
袋状体(2) が、形状記憶材(3) の長手方向に沿って開口する開口部(4) を有するものであり、
この開口部(4) の奥に、形状記憶材(3) の位置を規定する位置決め部(5) が形成され、
袋状体(2) の両端の位置決め部(5) の前方に係止部(7)(7)が形成され、
形状記憶材(3) が、開口部(4) から挿入され位置決め部(5) に沿わされると共に、形状記憶材(3) の端部が係止部(7) と位置決め部(5) との間に挿入されたことを特徴とするパッド。
【請求項２】
開口部(4) が長尺の形状記憶材(3) の略全長に渡って開口するものであり、且つ、形状記憶材(3)の両端の延長線上を除く袋状体(2)の適宜箇所に形成されたものであることを特徴とする請求項１記載のパッド。
【請求項３】
袋状体(2)は、少なくとも２枚のシート状体(21)(22)により構成され、この２枚のシート状体(21)(22)同士を接続することにより、位置決め部(5) が形成されたものであり、且つ、この袋状体(2) は、対向する長辺の一辺が開口して開口部(4) とされ、長辺の他辺側が閉じられて位置決め部(5) とされた有底の袋状であり、この開口部(4) が、パッドの端面に開口しているものであることを特徴とする請求項１又は２記載のパッド。
【請求項４】
袋状体(2) の外側に上記の他のパッド素材(11)(12)(13)(14)(15)が重ねられたことを特徴とする請求項１乃至３の何れかに記載のパッド。
【請求項５】
繊維材料等の柔軟なパッド素材(11)(12)(13)(14)(15)の内部に、形状記憶材(3) を配位したパッドにおいて、このパッドが、洋服の肩(k) の前後に渡って伸びる形状記憶材(3) を内部に有すると共に、洋服の肩(k) の上部内に配位される肩用のパッドであり、肩(k) の前後に渡って伸びる開口部(4) が、この肩用のパッドの肩先(k1)側の一辺に沿って形成され、この開口部(4) の奥に、形状記憶材(3) の位置を規定する位置決め部(5) が形成され、位置決め部(5) の両端の前方に係止部(7)(7)が形成され、
形状記憶材(3) が、開口部(4) から挿入され位置決め部(5) に沿わされると共に、形状記憶材(3) の端部が係止部(7) と位置決め部(5) との間に挿入されたことを特徴とするパッド。
【請求項６】
形状記憶材(3) が、縫着等の固定手段によって、パッド内に固定されていることを特徴とする請求項１乃至５の何れかに記載のパッド。
【請求項７】
繊維材料等の柔軟なパッド素材(11)(12)(13)(14)(15)の内部に、長尺の形状記憶材(3) を配位したパッドを製造する方法において、左右２個のパッドとなる連続パッド素材(11a)(12a)(13a)(14a)(15a) と、左右２個の袋状体となる連続袋状体(2a)とを重合わせ、次に、連続パッド素材(11a)(12a)(13a)(14a)(15a) 及び連続袋状体(2a)を左右２つに切断して２個のパッド部材(pa)(pa)を制作し、この制作したパッド部材(pa)は、上記工程にて切断された一辺が開口して開口部(4) とされ、他辺側が予め閉じられた位置決め部(5) となっている袋状体(2)が、他のパッド素材(11)(12)(13)(14)(15)と共に重ねられたものであり、この袋状体(2) は、その両端の位置決め部(5) の前方に係止部(7)(7)が形成されたものであり、
各パッド部材(pa)の袋状体(2) の開口部(4) から形状記憶材(3) を挿入して位置決め部(5) に沿わすと共に、形状記憶材(3) の端部を係止部(7) と位置決め部(5) との間に挿入するようにしたことを特徴とするパッドの製造方法。
【発明の詳細な説明】
【０００１】
【発明の属する技術分野】
本願発明は、肩パッド等の衣服に用いるパッド及びこのパッドの製造方法に関するものである。
【０００２】
【従来の技術】
従来より、肩パッド等の衣服に用いるパッドにおいては、形状記憶合金や形状記憶樹脂等の形状記憶材をパッド内に配位して、パッドの整形性を高めるように改良がなされている。特に、この種のパッドは、長期の保管や衣服の洗濯等で形状が変化しても、例えば、衣服を装着した際における体温による温度上昇等によって、適当な温度にまで温度が上昇することにより、着用時には形状回復して、良好な形状を保ち得ると言った利点がある。
【０００３】
例えば、実開昭６３−１１５１９号公報においては、繊維材料等の柔軟なパッド素材を複数層重ねた内部に、長尺の形状記憶材合金製の線材を挿通した肩パッドが開示されている。この肩パッドは、肩パッドの先端（肩先）寄りの内部に、細い筒状の空洞部分を形成しておき、この空洞部分の開口した一端から他端に、形状記憶材合金製の線材を先端から通していくものである。ところが、肩パッドの形状自体が３次元的に湾曲しており、また、形状記憶材合金製の線材も湾曲しているため、この挿通には、非常な手間がかかり、また、挿通した後の空洞部分の開口した一端を確実に塞いでおかないと、形状記憶材合金製の線材の先端が開口から突出して、衣服を破ったり、最悪の場合には人を傷つけてしまうと言ったおそれがある。
【０００４】
また、実開平４−３７２１７号公報においては、繊維材料等の柔軟なパッド素材を二つ折りにして、この折り目に沿わせて形状記憶材合金製の線材やネット等を、配位するようにした肩パッドが開示されている。このパッドは、パッド素材を二つ折りにして、その間に形状記憶材を挟むため、制作の作業性は改善されているものの、折り目に沿わせて形状記憶材を配位するため、形状記憶材の位置が、折り目に限定され、配位する位置の自由度が小さくなってしまう。より詳しくは、このパッドでは、折り目がパッドの先端（肩先）となるが、常に肩先に沿った位置に形状記憶材が位置することとなり、この肩先より、所定長さだけ内側に入った位置に形状記憶材を配位したい場合には、その位置決めが極めて困難であり、作業性も悪くなる。また、挿通した後の空洞部分の開口した一端を確実に塞いでおかないと、形状記憶材合金製の線材の先端が開口から突出して、衣服を破ったり、最悪の場合には人を傷つけると言ったおそれがある。
【０００５】
【発明が解決しようとする課題】
本願発明は、このような従来のパッドの課題を解決するものであり、より具体的には、湾曲したパッドに湾曲した形状記憶材を配位する際に、正確に位置決めを行って形状記憶材を配位できると共に、正確な位置決めを行った場合にも、良好な生産性を得ることのできるパッドを提供せんとするものである。さらに、本願発明は、上記の目的を達成し得ると同時に生産性の極めて高いパッドの製造方法を提供せんとするものである。
【０００６】
【課題を解決するための手段】
本願の請求項１に係る発明は、繊維材料等の柔軟なパッド素材１１、１２、１３、１４、１５の内部に、形状記憶材３を配位したパッドにおいて、形状記憶材３を内部に収納した袋状体２が、他のパッド素材１１、１２、１３、１４、１５と共に配位されており、袋状体２が、形状記憶材３の長手方向に沿って開口する開口部４を有するものであり、この開口部４の奥に、形状記憶材３の位置を規定する位置決め部５が形成され、袋状体２の両端の位置決め部５の前方に係止部７、７が形成され、形状記憶材３が、開口部４から挿入され位置決め部５に沿わされると共に、形状記憶材３の端部が係止部７と位置決め部５との間に挿入されたことを特徴とするパッドを提供する。
【０００７】
本願の請求項２に係る発明は、開口部４が長尺の形状記憶材３の略全長に渡って開口するものであり、且つ、形状記憶材３の両端の延長線上を除く袋状体２の適宜箇所に形成されたものであることを特徴とする請求項１記載のパッドを提供する。
【０００８】
本願の請求項３に係る発明は、袋状体２は、少なくとも２枚のシート状体２１、２２により構成され、この２枚のシート状体２１、２２同士を接続することにより、位置決め部５が形成されたものであり、且つ、この袋状体２は、対向する長辺の一辺が開口して開口部４とされ、長辺の他辺側が閉じられて位置決め部５とされた有底の袋状であり、この開口部４が、パッドの端面に開口しているものであることを特徴とする請求項１又は２記載のパッドを提供する。
【０００９】
本願の請求項４に係る発明は、袋状体２の外側に上記の他のパッド素材１１、１２、１３、１４、１５が重ねられたことを特徴とする請求項１乃至３の何れかに記載のパッドを提供する。
【００１０】
本願の請求項５に係る発明は、繊維材料等の柔軟なパッド素材１１、１２、１３、１４、１５の内部に、形状記憶材３を配位したパッドにおいて、このパッドが、洋服の肩ｋの前後に渡って伸びる形状記憶材３を内部に有すると共に、洋服の肩ｋの上部内に配位される肩用のパッドであり、肩ｋの前後に渡って伸びる開口部４が、この肩用のパッドの肩先ｋ１側の一辺に沿って形成され、この開口部４の奥に、形状記憶材３の位置を規定する位置決め部５が形成され、位置決め部５の両端の前方に係止部７、７が形成され、形状記憶材３が、開口部４から挿入され位置決め部５に沿わされると共に、形状記憶材３の端部が係止部７と位置決め部５との間に挿入されたことを特徴とするパッドを提供する。
【００１１】
本願の請求項６に係る発明は、形状記憶材３が、縫着等の固定手段によって、パッド内に固定されていることを特徴とする請求項１乃至５の何れかに記載のパッドを提供するものである。
【００１２】
本願の請求項７に係る発明は、繊維材料等の柔軟なパッド素材１１、１２、１３、１４、１５の内部に、長尺の形状記憶材３を配位したパッドを製造する方法において、左右２個のパッドとなる連続パッド素材１１ａ、１２ａ、１３ａ、１４ａ、１５ａと、左右２個の袋状体となる連続袋状体２ａとを重合わせ、次に、連続パッド素材１１ａ、１２ａ、１３ａ、１４ａ、１５ａ及び連続袋状体２ａを左右２つに切断して２個のパッド部材ｐａ、ｐａを制作し、この制作したパッド部材ｐａは、上記工程にて切断された一辺が開口して開口部４とされ、他辺側が予め閉じられた位置決め部５となっている袋状体２が、他のパッド素材１１、１２、１３、１４、１５と共に重ねられたものであり、この袋状体２は、その両端の位置決め部５の前方に係止部７、７が形成されたものであり、各パッド部材ｐａの袋状体２の開口部４から形状記憶材３を挿入して位置決め部５に沿わすと共に、形状記憶材３の端部を係止部７と位置決め部５との間に挿入するようにしたことを特徴とするパッドの製造方法を提供する。
【００１３】
本願の請求項１の発明にあっては、形状記憶材３が、パッド内の袋状体２内に入れられているものであるため、作業性が良く、位置決めも容易で且つ確実である。即ち、袋状体２を正しくパッドの所定の位置に配位することによって、形状記憶材３も、正しくパッドの所定の位置に配位することができる。特に、形状記憶材３を線材等の長尺のものとした場合、それ単独では位置決めが困難であるが、袋状体２内に収納することによって、位置決めが簡単で正確なものとすることができる。しかも、袋状体２の両端の位置決め部５の前方に係止部７、７が形成され、形状記憶材３が、開口部４から挿入され位置決め部５に沿わされると共に、形状記憶材３の端部が係止部７と位置決め部５との間に挿入されたものであるため、形状記憶材３の両端の位置がより正確に定まるものである。
また、開口部４が長尺の形状記憶材３の長手方向に沿って形成されているため、湾曲した長尺の形状記憶材３であっても、開口部４を大きく開くことができ、スムーズに開口部４内に入れることができる。このとき、開口部４の長さは、長尺の形状記憶材３の長さに略等しいか、或いはそれより長くしておくと、無理なく極めてスムーズに入れることができる。
【００１４】
尚、開口部４の長さは、長尺の形状記憶材３の長さより短くても、形状記憶材３を湾曲させたり歪めてやるか、或いは斜めにすることで挿入できる長さであれば、実施に際して問題はない。そして、この挿入時に、形状記憶材３を袋状体２の奥（底）まで突き当たるように入れることによって、形状記憶材３は位置決め部５に自然と沿うこととなり、形状記憶材３を押し込むと言った作業だけで位置決めが完了する。
【００１５】
本願の請求項２の発明では、開口部４が、長尺の形状記憶材３の両端の延長線上を除く位置に設けられているため、パッドを使用した衣服の着用時等に、長尺の形状記憶材３の先端が、開口部４から不用意に突き出すおそれがない。開口部４は、パッド完成時に塞いでおいてもよいが、本願第２の発明のように、開口部４は長尺の形状記憶材３の両端の延長線上に位置するものではない場合、従来のように、厳密に塞がずとも、安全性は確保し得る。
【００１６】
本願の請求項３に係る発明にあっては、袋状体２を構成する少なくとも２枚のシート状体２１，２２は、１枚のシート状体を２つ折りにすることによって、２枚としてもよい。従って、２枚のシート状体２１，２２の接続は、縫製や接着によって行うことができるが、上記の２つ折りの折り曲げ線によって接続されているものとしてもよい。即ち、位置決め部５は、折り曲げ線によって、その全部或いは一部が構成されているものであってもよい。
【００１７】
本願の請求項５の発明に係るパッドは、肩ｋの前後に渡って伸びる開口部４が、この肩用のパッドの肩先ｋ１側の一辺に沿って形成されているため、洋服の肩ｋの前後に渡って伸びる形状記憶材３をスムーズに内部に挿入し得る。このとき、開口部４の長さは、長尺の形状記憶材３の長さに略等しいか、或いはそれより長くしておくことが望ましい。
【００１８】
但し、開口部４の長さが、長尺の形状記憶材３の長さより短くても、形状記憶材３を湾曲させたり歪めてやるか、或いは斜めにすることで挿入できる長さであれば、実施に際して問題はない。そして、開口部４の奥に、形状記憶材３の位置を規定する位置決め部５が形成されているため、形状記憶材３を奥まで突き当たるように入れることによって、形状記憶材３は位置決め部５に自然と沿うこととなり、形状記憶材３を押し込むと言った作業だけで位置決めが完了する。
【００１９】
本願の請求項７の発明においては、連続パッド素材１１ａ，１２ａ，１３ａ，１４ａ，１５ａ及び連続袋状体２ａを左右２つに切断することによって、２個のパッド部材を同時に製造し得ることは勿論、切断するだけで、充分な長さを有する開口部４を備えた袋状体２を得ることができ、これに、形状記憶材３を入れることによって、形状記憶材３を備えたパッドを容易に製造することができるものである。
【００２０】
【発明の実施の形態】
以下、図面に基づき、本願発明の実施の形態について説明する。図１は、一つの実施の形態に係るパッドの斜視図であり、図２は同パッドの開口部を開いた状態の斜視図である。図３の（Ａ）は同パッドの平面図であり、（Ｂ）は同正面図である。図４は同パッドの袋状体の斜視図であり、図５は同パッドの使用位置を示す説明図である。
【００２１】
このパッド１は、図５に示すように、ブレザーや学生服等の重衣料やワンピース、ブラウス等の軽衣料等の各種衣服の肩パッドであり、通常の肩パッドと同様、ブレザーｂの肩ｋの上部内に縫着される。この肩パッド１は、洋服の肩の上部を中心として、肩の前後（前身頃側と後身頃側）に伸びるように、湾曲している。また、通常の肩パッドと同様、肩先ｋ１（肩と腕との境界）側の厚みが大きく、首側に近づくに従って厚みが薄くなる。そして、この肩パッド１においては、肩先寄りの内部に、肩の前後に渡って伸びる形状記憶材３が配位されている。
【００２２】
この肩パッド１は、図１乃至図３に示すように、繊維材料等の柔軟なパッド素材１１，１２，１３，１４，１５を複数層重ねた内部に、形状記憶材３が配位されている。パッド素材としては、従来と同様、不織布、織地、編地、綿や、ウレタンを始めとする柔軟な合成樹脂等を用いることができる。また、この実施の形態では、パッド素材１１，１２，１３，１４，１５を複数層重ねてパッドとしているが、積層する枚数は適宜変更でき、また、スポンジ状のパッド素材を一つだけ用いて、その内部に形状記憶材３を配位してもよい。尚、図では、表面のパッド素材１１は、比較的薄い不織布や織生地を用いたものとして、厚みのない「線」で示されている。
【００２３】
次に、形状記憶材３は、形状記憶合金や形状記憶樹脂が用いられ、また、これらの素材の形状は、１本或いは複数本の線材状のものや、或いはネットや編地や織地状として実施し、他のパッド素材と同程度の面積を有する面状の形状記憶材としてもよい。形状記憶材は、高くても体温と同程度の温度によって、記憶した形状に回復するものが適しており、着用時或いは洗濯後の乾燥によって、所定の形状を示すものを採用すればよい。この実施の形態では１本の形状記憶合金製の線材が用いられ、この形状の変化によって、パッド全体の形状を所望の形状に整えることができるものである。
【００２４】
この形状記憶材３は、肩パッド１の肩先ｋ１の端面に設けられた開口部４から肩パッド１内に挿入される。即ち、この開口部４は、パッドの肩先ｋ１側の端辺に沿って、肩の前後に伸びるように形成されている。そして、この開口部４の奥（即ち、肩パッド１の肩先から首側へ入った適当な位置）に、形状記憶材３の位置を規定する位置決め部５が形成される。この位置決め部５は、開口部４を形成する２枚のシート状体２１，２２を閉じることによって形成される。尚、このシート状体２１，２２も薄いため、図では「線」で表現されている。閉じる方法は、２枚のシート状体２１，２２同士を縫着や接着や金具等で固定することによって形成され得る。これらの固定は、線状に連続して行ってもよいが、断続的に数箇所を固定してもよい。要は、形状記憶材３を挿入した際に、形状記憶材３に当接し、固定箇所より奥に形状記憶材３を進めることができないものであればよい。
【００２５】
この実施の形態においては、この開口部４を形成するシート状体２１，２２を、袋状体２として、実施している。この袋状体２の素材には、他のパッド素材１１，１２，１３，１４，１５と同様の柔軟なシート状のパッド素材を用いることができる。より望ましくは、パイル等の設けられていない平滑で比較的目の詰まった織布（例えば、帆布やデニム等の厚手のもの）を用いることができるが、薄手のものであってもよく、織り組織や使用する糸に関しては自由に変更できる。また合成樹脂シートや不織布等の他の素材に変更することができる。さらに、袋状体２を、２重、或いは３重以上に重ねたものとしてもよい。
【００２６】
この袋状体２は、図４に示すように、対向する長辺の一辺が開口して開口部４とされ、長辺の他辺側が閉じられて位置決め部５とされた、有底の袋状となっている。そして、挿入した形状記憶材３が、その前後方向に突き出さないように、対向する２つの短辺が閉じられて突き出し防止部６，６が形成されている。即ち、開口部４を袋の口として、位置決め部５を袋の底とした場合、この突き出し防止部６，６は、袋の側部に該当する。この袋の側部は、閉じる必要はないが、この実施の形態においては、これを閉じることによって、突き出し防止部６，６として活用したものである。
【００２７】
形状記憶材３は、開口部４から挿入されるが、その際、図２に示すように、開口部４を大きく開くことができ、長く湾曲した形状記憶材３であっても、無理なく、極めて容易に大きく開いた開口部４から、形状記憶材３を肩先ｋ１から奥に、入れることができる。そして、形状記憶材３を奥の位置決め部５に突き当たるまで入れると、自然に、その位置が決まるものである。即ち、形状記憶材３が、位置決め部５に沿った状態、即ち、隣接した状態となるものである。特に、図３に示すように、形状記憶材３は、平面から見ても、正面から見ても湾曲している。このように３次元的に湾曲した形状記憶材３を正確に位置決めして、円滑に作業性良く挿入することは極めて困難であったが、肩先ｋ１側に肩の前後に渡って、形状記憶材３の略全長に渡って開口する開口部４を、大きく開くことによって、極めて容易に挿入でき、しかも、形状記憶材３を奥の位置決め部５に突き当たるまで入れるだけで、正確な位置決めもなし得るものである。尚、１枚のシート状体を２つ折りにして、袋状体２を形成してもよい。この場合、２つ折りの折り目線が、袋の底、即ち位置決め部５となる。但し、上記のように、縫着や接着等の固定手段で位置決め部５を形成する方が、湾曲した形状記憶材３の形状に応じた形状に位置決め部５を形成できる点で有利である。
【００２８】
さらに、突き出し防止部６，６を位置決め部５の両側に設けることによって、形状記憶材３を奥の位置決め部５に突き当たるまで入れるだけで、形状記憶材３の両端の位置が、突き出し防止部６，６に当接して決定されるものであり、肩の前後方向の位置も、同時に正確に定まるものである。しかも、着用時に形状記憶材３が前後に動こうとしても、突き出し防止部６，６に形状記憶材３の前後端が当たるため、形状記憶材３の前後端が突出してしまうことを防ぐことができ、洋服や人を傷つけるおそれを無くすることができる。尚、この実施の形態では、形状記憶材３の前後の両端に、合成樹脂製のキャップ３１，３１を装着することによって、万が一の場合の安全性を高めている。
【００２９】
挿入した形状記憶材３は、そのままでもよいが、図１に示すように、糸ｎ１を用いてミシン等によって、縫着することにより、固定してもよい。縫着は、袋状体２を形状記憶材３より肩先ｋ１側において、縫着することにより、この縫着と位置決め部５との間に、形状記憶材３を挟むようにして固定してもよく、或いは、図１に示すように、形状記憶材３を中心にして、糸ｎ１をジグザク縫いの要領で、縫着して固定してもよい。また、縫着以外に、接着等の他の手段によって、袋状体２の２つのシート状体２１，２２の適宜位置を固定することにより、形状記憶材３の固定を図ってもよい。尚、縫着や接着による固定を、シート状体２１，２２の全体に渡って施してもよい。即ち、形状記憶材３を位置決め部５に沿わせた状態で、袋状体２の２つのシート状体２１，２２同士を接合し、開口部４を閉じてしまうようにしてもよい。
【００３０】
この肩パッド１は、従来の肩パッドと同様、洋服の肩に縫着されるが、その際、形状記憶材３の位置が正確に定まっていることにより、縫着の針が、形状記憶材に当たることなく縫着でき、針折れが生ずることも防止し得る。
【００３１】
次に、このパッドの製造方法について説明する。まず、左右一対のパッドとなる連続パッド素材１１ａ，１２ａ，１３ａ，１４ａ，１５ａと、左右一対の袋状体となる連続袋状体２ａとを用意する。肩パッド１は、略半楕円形状をしたパッド素材１１，１２，１３，１４，１５を複数枚積層して形成される。そのため、各層を構成するパッド素材１１，１２，１３，１４，１５毎に、半楕円形状を左右につなげて１枚物の略楕円形状をした連続パッド素材１１ａ，１２ａ，１３ａ，１４ａ，１５ａとして、これを各層毎に用意する（図６参照）。この連続パッド素材は、複数重ねられているため、その層によって、形状や大きさ、厚み、材質等が変更されることは、従来の肩パッドと同様である。
【００３２】
連続袋状体２ａは、前述の略半楕円形状の袋状体２を向かい合わせにした略楕円形状をなしている。より詳しくは、図７に示すように、連続袋状体２ａは、前述の袋状体２を構成する２枚のシート状体２１，２２の夫々について、向かい合わせに左右につながった１枚物の連続シート状体２１ａ，２２ａから構成される。両連続シート状体２１ａ，２２ａは、略同一の形状をしているが、一方の連続シート状体２１ａより、他方の連続シート状体２２ａの方が、前後に長く形成され、この前後の延設部分が、折り返し部分６ａ，６ａとされている。両連続シート状体２１ａ，２２ａは、互いに重ねられ、この折り返し部分６ａ，６ａが、一方の連続シート状体２１ａの表面に折り返される。この折り返し部分６ａ，６ａによって、袋の両端が閉じられた状態となり、完成時の袋状体２の突き出し防止部６が形成されることになる。尚、この図では、一方の連続シート状体２１ａのみに折り返し部を設けたが、２枚のシート状体の双方を折り返してもよい。そして、重ねられた両連続シート状体２１ａ，２２ａの両側は、糸ｎ２によって縫着されることにより、前述の位置決め部５が形成されることになる。尚、糸ｎ２によって、折り返し部分６ａ，６ａの上も縫着してもよいが、折り返すだけでも充分な固定効果がある。また、この位置決め部５も、突き出し防止部６と同様に、折り返し部分を設けて形成してもよい。縫着に代えて、接着等の他の固定手段を採用してもよい。
【００３３】
次に、図８（Ａ）に示すように、連続パッド素材１１ａ，１２ａ，１３ａ，１４ａ，１５ａ及び連続袋状体２ａを、夫々左右の中心を位置合わせして重合わせる。この実施の形態では、連続袋状体２ａの上に２枚の連続パッド素材１１ａ，１２ａがきて、連続袋状体２ａの下に３枚の連続パッド素材１３ａ，１４ａ，１５ａがくるように積層したが、この位置関係は、形状記憶材３を配位する位置によって、適宜変更し得る。
【００３４】
次に、この重ね合わせた連続パッド素材１１ａ，１２ａ，１３ａ，１４ａ，１５ａ及び連続袋状体２ａを接着すると共に付形する。より詳しくは、上下に重なり合う連続パッド素材１１ａ，１２ａ，１３ａ，１４ａ，１５ａ及び連続袋状体２ａの少なくとも何れか一方に、接着剤を塗布しておく（この塗布は、重合わせの前に行っておくことが望ましい）。そして、図８（Ｂ）に示すように、重ね合わせた連続パッド素材１１ａ，１２ａ，１３ａ，１４ａ，１５ａ及び連続袋状体２ａ（図８（Ｂ）では、符号は１１ａのみで代表する）を、プレス台ｐ１の上に載置する。その上から、プレス型ｐ２で押圧すると共に、蒸気を噴出する。この熱によって、各素材は湾曲した形状に付形されると共に、接着剤によって、互いに接着される。尚、連続袋状体２ａの連続シート状体２１ａ，２２ａ間には、接着剤を塗布せず、両者は接着しない。尚、連続パッド素材１１ａ，１２ａ，１３ａ，１４ａ，１５ａ及び連続袋状体２ａは、互いの位置関係を正確に合わせるため、各素材に位置決め用のマークを設けておいてもよく、これらを重ねた状態で仮縫いを施して位置ずれが生じないようにしてもよい。
【００３５】
次に、重ね合わせて接着した連続パッド素材１１ａ，１２ａ，１３ａ，１４ａ，１５ａ及び連続袋状体２ａを、中央で切断して、左右一対のパッド部材ｐａ，ｐａ（本願のパッドであって、未だ形状記憶材３を入れていないもの）を制作する。この切断した端面が、肩先ｋ１となり、肩先ｋ１の端面が綺麗に揃ったパッド部材が生産され得ると共に、袋状体２に開口部４が、肩先ｋ１の端面に形成されることとなる。尚、切除して捨てる部分ｘを、図８（Ｃ）及び図６に、斜線で示しておく。
【００３６】
パッド部材ｐａ，ｐａが形成された後には、前述のように、開口部４から形状記憶材３を入れて、縫着等によって固定すれば形状記憶材入りの肩パッドが完成される。このとき、図３（Ａ）及び図４に示すように、係止部７，７を設けておく。この係止部７は、袋状体２の両端の位置決め部５の前方に形成しておき、形状記憶材３の一端を係止部７と位置決め部５との間に挿入し、次に形状記憶材３の他端を他方の係止部７と位置決め部５との間に挿入する。このような挿入作業を行うことにより、形状記憶材３の両端の位置がより正確に定まるものである。しかも形状記憶材３の一端を挿入した後他端を挿入するときに、既に挿入した一端の位置がずれると言ったことも防止できる。この係止部７は、シート状体２１，２２同士を縫着することにより、形成できるが、接着などの他の固定手段により、シート状体２１，２２同士を固定することによっても形成できる。両係止部７，７間の間隔は、長尺の形状記憶材３の長さより短く設定される。この長さは、長尺の形状記憶材３の長さの２分の１以上であることが挿入の作業性の観点からは望ましいが、それより短くても、形状記憶材３を湾曲させたり歪めてやるか、或いは斜めにすることで挿入できる長さであれば、実施に際して問題はない。
【００３７】
尚、本願発明のパッドは、他の方法によって製造することも可能であり、例えば、左右の肩パッドを別々に制作してもよい。また、袋状体以外のパッド素材を先に積層してしまい、パッド素材の間に袋状体を後から挿入するようにしてもよい。さらに、上記の実施の形態においては、袋状体２の外形線に沿って位置決め部５を形成したが、位置決め部５の形状と袋状体２の形状とは必ずしも合致する必要はなく、位置決め部５の外側に大きく延設してもよい。より具体的には、袋状体２の全体の大きさを、パッドの全体の大きさと同じ程度（即ち、パッド素材１１と同程度）の大きさとして、位置決め部５をその適当な位置に形成してもよい。
【００３８】
袋状体２の開口部４は、肩パッド１の肩先側の辺に設けたが、袋状体２の上面や下面など、他の位置（長尺の形状記憶材３の両端の延長線上を除く）に設けてもよい。上記の実施形態では、袋状体２を予めパッド内に配位した後に形状記憶材３を挿入したが、袋状体２内に予め形状記憶材３を挿入し、この挿入済の袋状体２をパッド内に配位してもよい。また、シート状体２１，２２に形状記憶材３を挟んだ状態で、縫着して袋状体２を完成させると言ったように、袋状体２を形成する際に、形状記憶材３を予め配位しておいてもよい。但し、上記の実施形態のように、袋状体２を予めパッド内に配位した後に形状記憶材３を挿入したほうが、形状記憶材３の挿入までの作業を平面的な状態で行うことができ、作業性の面から、有利である。尚、本願発明のパッドは、肩パッドに限らず、胸等の他の箇所のパッドにおいて実施することも可能である。
【００３９】
【発明の効果】
本願の各発明は、袋状体を用いることによって、形状記憶材の配設作業が極めて能率的に、且つ正確に行うことができ、良好な生産性を得ることのできるパッドを提供することができたものである。しかも、袋状体に位置決め部を用いることによって、形状記憶材の配設位置がより正確になるパッドを提供することができたものである。しかも、袋状体２の両端の位置決め部５の前方に係止部７、７が形成され、形状記憶材３が、開口部４から挿入され位置決め部５に沿わされると共に、形状記憶材３の端部が係止部７と位置決め部５との間に挿入されたものであるため、形状記憶材３の両端の位置がより正確に定まるものである。
【００４０】
さらに、形状記憶材の長手方向に沿って開口部を設けたため、挿入の際に、開口部を大きく開くことができる。しかも、湾曲したパッドに湾曲した形状記憶材を配位する場合でも、正確に位置決めを行って形状記憶材を配位できると共に、正確な位置決めを行った場合にも、良好な生産性を得ることのできるパッドを提供することができたものである。
【００４１】
長尺状体の挿入用の開口部を、長尺の形状記憶材の両端の延長線上を除く位置に設けることにより、このパッドを使用した衣服の着用時等に、長尺の形状記憶材の先端が、開口部から不用意に突き出すおそれをなくすることができる。
【００４２】
本願の請求項５の発明は、湾曲したパッドに湾曲した形状記憶材を配位するに際して、正確に位置決めを行って形状記憶材を配位できると共に、正確な位置決めを行った場合にも、良好な生産性を得ることのできるパッド、特に学生服やブレザー等の洋服の肩に用いる肩パッドとして理想的なものを提供することができたものである。
【００４３】
本願の請求項７の発明は、上記の各発明に係るパッドを、良好な生産性の下に量産し得る方法を提供することができたものである。
【図面の簡単な説明】
【図１】本願の一つの実施の形態に係るパッドの斜視図である。
【図２】同パッドの開口部を開いた状態の斜視図である。
【図３】（Ａ）は同パッドの平面図であり、（Ｂ）は同正面図である。
【図４】同パッドの袋状体の斜視図である。
【図５】同パッドの使用位置を示す説明図である。
【図６】同パッドの材料の説明図である。
【図７】（Ａ）は、同パッドの袋状体の平面図であり、（Ｂ）は同袋状体を分解した平面図である。
【図８】（Ａ）は同パッドの各材料を重ね合わせた平面図であり、（Ｂ）は同パッドの各材料の接着付形状態の側面図であり、（Ｃ）は同切断状態を示す平面図である。
【符号の説明】
１…肩パッド
２…袋状体
２ａ…連続袋状体
２１ａ，２２ａ…連続シート状体
３…形状記憶材
４…開口部
５…位置決め部
６…突き出し防止部
１１，１２，１３，１４，１５…パッド素材
１１ａ，１２ａ，１３ａ，１４ａ，１５ａ…連続パッド素材
ｋ１…肩先
【図１】
0003569610.tif 000002
【図２】
0003569610.tif 000003
【図３】
0003569610.tif 000004
【図４】
0003569610.tif 000005
【図５】
0003569610.tif 000006
【図６】
0003569610.tif 000007
【図７】
0003569610.tif 000008
【図８】
0003569610.tif 000009